(57)【要約】【課題】  従来、配電回路の負荷情報を経済的に取得するため、計測機器から表示機能を除外し、計測機器側に通信手段を２つ設け、表示機能が欲しい場合のみ１つの通信手段に表示機器を接続する方式が知られているが、１台の表示機器で複数回路の負荷情報を表示可能とし、かつ計測機器側で負担していた２つの通信手段を少数の設置で済む表示機器側に負担させることで更なる低コスト化を図ることを目的とし、経済的に複数回路の負荷情報を取得する。【解決手段】  表示機器と計測機器を分離し、表示機器に複数機器との接続可能な通信手段を複数設け、多数設置される計測機器側の通信手段を１つとする。【選択図】  図１
2006109550.tif 000002
【特許請求の範囲】
【請求項１】
電気回路の電流、電圧、電力、電力量、力率等の負荷情報を計測する計測機器と接続される負荷情報表示機器において、
前記計測機器が計測した負荷情報を格納する記憶手段と、
前記格納された負荷情報を表示する表示手段と、
前記表示手段に表示する項目を選択する選択手段と、
前記計測機器の計測した負荷情報情報を取得、表示するための複数機器を接続可能なデジタル信号通信手段と、前記計測機器が計測した負荷情報を中央処理装置で記録、集中管理するために、中央処理装置と接続するための複数機器を接続可能なデジタル信号通信手段との分離した２系統のデジタル信号通信手段を有し、
前記複数の計測機器の計測した負荷情報を取得するための通信プロトコルと、前記複数の計測機器の計測した負荷情報を記録、集中管理するための中央処理装置へ伝送するための通信プロトコルを共用化し、
中央処理装置からの記録、集中管理用負荷情報要求を受け、分離された通信回路に接続された計測機器に対し、中央処理装置からの負荷情報要求を行うことを特徴とする負荷情報表示機器。
【請求項２】
主回路を開閉する接点部と、前記接点部を開閉するための開閉機構部と、各相の通電電流を検出するための電流検出手段と、各線間の電圧を検出するための電圧検出手段と、前記電流検出手段により検出された電流値を元に前記接点の開放を制御し、かつ前記電流検出手段及び電圧検出手段より得られた情報により、回路の負荷情報を演算する制御部と、演算した負荷情報を他機器へ伝送する機能を有する回路遮断器において、
請求項１記載の負荷情報表示機器をデジタル信号通信手段を介して接続したことを特徴とする負荷情報計測、表示、伝送機能を有する回路遮断器。
【発明の詳細な説明】
【技術分野】
【０００１】
本発明は、複数回路の負荷情報を表示、伝送するために用いられる表示機器及び単一回路の負荷情報を計測、表示、伝送する機能を有する回路遮断器に関するものである。
【背景技術】
【０００２】
従来は、特許文献１（特開２００２−９５１５２号公報）に示すように、回路遮断器に電流検出手段、電圧検出手段を内蔵し、電気回路の負荷情報を演算、伝送する機能を有し、必要に応じて表示機器を接続する回路遮断器が開示されている。
【０００３】
【特許文献１】特開２００２−９５１５２号公報
【発明の開示】
【発明が解決しようとする課題】
【０００４】
特許文献１に開示の回路遮断器においては、パソコンによる負荷情報の集中管理を前提としたものであるため、必要に応じて表示機器を接続する方式を採用しているが、ＲＳ−２３２Ｃ若しくは赤外線等の通信手段を用いていることから、接続した計測機器のみの負荷情報を表示する方式であった。
【０００５】
また、負荷情報を表示するために計測機器側に通信手段を２つ設けていることから、計測点が多くなる程、通常使用しない過剰な通信手段が増えることになり、低コスト化の妨げとなっていた。
【０００６】
本願発明は、上記の問題を解決するものであり、複数の計測機器の負荷情報を表示、伝送する負荷情報表示機器を提供することを目的とする。
【課題を解決するための手段】
【０００７】
本願発明の目的を達成するために次の事項とした。
（１）回路負荷情報の計測機能と、表示機能と、記録機能を分割する。
（２）表示機器は２系統の複数機器を接続可能なデジタル信号通信手段を有し、一方の通信手段はパソコンと接続し、負荷情報を記録するための通信手段として使用する。もう一方の通信手段は、計測機器と接続し、負荷情報を取得するための通信手段として用いる。
前記２系統のデジタル信号通信手段は、表示機器にて分離される。
（３）表示機器は、デジタル信号通信手段により接続された複数計測機器に対して、定期的に回路負荷情報要求を行う。得られた負荷情報は、表示機器内の内蔵ＲＡＭの専用エリアに上書き格納される。本情報は、表示機器での表示情報として使用する。
（４）専用ＲＡＭに格納された負荷情報は、ユーザのキー操作により専用エリアから読出し、表示部に表示する。
（５）表示機器は、一方の通信手段にて接続されたパソコンから記録用データ要求を受けた際、もう一方の通信手段より計測機器に対して記録用データ要求を行う。
表示機器からのデータ要求を受けた計測機器は、要求されたデータを表示機器に対して応答し、計測機器からのデータを受信した表示機器は、計測機器に置き換わりパソコンに対して、要求データを送信する。
（６）表示機器を介して計測機器から得られた負荷情報は、パソコンで集計され、日報、月報等用情報として用いる。
【発明の効果】
【０００８】
（１）計測機器から過剰な通信手段を省くことで、システム全体の低コスト化を可能とする。
（２）複数機器を接続可能なデジタル信号通信手段を介して、表示機器と計測機器を接続し、１つの表示機器にて複数回路の負荷情報を表示可能とすることで、経済的に回路負荷情報を取得することを可能とする。
（３）２系統の通信手段を表示機器にて分離することで、パソコン-表示機器間、表示機器-  計測機器間の通信プロトコルを同一とすることが可能となり、計測機器の共用化を図ることが可能となる。
（４）表示機器がパソコンからの記録用データ要求を受信した際、表示機器が前記要求を計測機器に対して再度要求し、計測機器が応答した情報を表示機器がパソコンへ応答することにより、パソコンソフトのバージョン違い等による要求方式の違いを計測機器に認識させることなく、計測機器の取得情報をパソコンへ応答可能とする。
（表示機器の通信処理を簡略化することが可能となる。）
【発明を実施するための最良の形態】
【０００９】
以下、図面を用いて発明の実施例を説明する。
【実施例１】
【００１０】
図１は本発明の第１の実施例の負荷情報表示機器のブロック構成を示す図である。
【００１１】
本発明の表示機器１は、供給されるＡＣ１００Ｖ〜２００Ｖ、ＤＣ１１０Ｖ電圧を、内部電子部品駆動用電源に変換する電源回路２（例えばＡＣ／ＤＣコンバータ、ＤＣ／ＤＣコンバータ）と、伝送線にて接続された計測機器の計測した負荷情報を表示するための表示部３（例えば７セグメントＬＥＤ、液晶等）、前記表示部３の制御を行う表示制御部４（例えば表示制御ＩＣ等）、表示確認者が表示対象項目、回路、相を切換えるための操作部５（例えば押しボタンスイッチ等）、負荷情報の記録、集中管理を行うためのパソコンへ負荷情報を送信するための通信回路（１）（例えばＲＳ−４８５等で構成される複数機器との接続可能通信）、計測機器の計測した情報を取得するための通信回路（２） （例えばＲＳ−４８５等で構成される複数機器との接続可能通信）、及び表示、操作、通信全てを制御する制御部８にて構成される。
【００１２】
まず本表示機器は、電源投入直後、初期化ルーチンにて自分に接続された計測機器の数、種類を認識するために設定許可されたアドレス全てに対し、計測機器の種類の回答要求を行う。（アドレス、接続数認識）
表示機器の本要求に対し、通信回路（２）網に接続された各計測機器は、自分のアドレスに対する要求があった際、自分の種類コード（ユニットコード）を伝送する。計測機器の本応答に対し、本発明の表示機器は、自分が要求したことに対する応答か否かを判断し、応答であった場合は、制御部８のＲＡＭに応答のあったアドレス及び機器の種類（ユニットコード）を登録する。本作業を設定許可されたアドレス全てに対し行い、通信回路（２）網に接続された計測機器の数、種類を認識する。
【００１３】
次に本発明の表示機器は、表示部３に負荷情報を表示するため、通信回路（２）７を介して通信回路（２）網に接続された各計測機器に対して、負荷情報送信要求を行う。この際は、先程のアドレス、接続数認識にて得た情報を受け、接続しているアドレスのみ、かつ接続された計測機器に最適な要求方式で、負荷情報の送信要求を行う。基本的に接続確認された最小アドレスから順に負荷情報取得作業を行う。
【００１４】
自分の設定アドレスに対して負荷情報送信要求のあった計測機器は、要求のあった計測値を表示機器に応答すべく通信回路（２）網へ伝送する。
【００１５】
本発明の表示機器は、本応答データを自分が要求したものに対する応答か否かを判断し、要求に対する応答であった場合には、制御部８のＲＡＭ上の接続確認されたアドレス名のついた専用エリアへ格納する。
【００１６】
本負荷情報送信要求を受けた各計測機器は、自分に対する要求か否かを判断し、自分に対する要求の場合は、要求のあった負荷情報（例えば計測負荷情報全部）を、通信回路（２）網に伝送する。
本伝送信号を本発明の計測機器は、自分が要求したことに対する応答か否かを判断し、要求に対する応答である場合は、通信回路（２）を介して制御部２内のＲＡＭに格納する。
【００１７】
本作業を接続確認された全アドレスに対して行い、接続された計測機器の計測情報を取得し、それぞれを専用エリアに保管する。
【００１８】
接続確認された最大アドレスまで、負荷情報取得作業が終了すると、再度最小アドレスに戻り、負荷情報取得作業を行う。
【００１９】
次に、負荷情報の表示に関しては、使用者に選択された計測機器の、選択された項目の負荷情報データを制御部８のＲＡＭから読み出し、表示制御部４を介し表示部３に表示する。使用者が表示項目の選択を行わない場合、最終的に選択された項目の負荷情報を、計測機器より周期的に得られる新情報に更新する。
【００２０】
次に、負荷情報の記録、集中管理を行うためのパソコンとの接続に関して説明する。
【００２１】
図２は本発明の第１の実施例のシステムを示す図である。
【００２２】
計測機器１３１〜１３６の計測した負荷情報を中央処理装置であるパソコン１１にインストールした記録、集計ソフトにて、負荷情報の記録、集中管理を行う。１２はパソコン１１と、例えばＲＳ−４５８等の複数機器との接続を可能とする通信回路網１４とのインターフェースを行うインターフェース機器である。
【００２３】
本発明の表示機器１０は、通信回路網１５に接続された計測機器の負荷情報を表示するためと、通信回路網１４と通信回路網１５のインターフェースをとるために設置する。
【００２４】
通常、本発明の表示機器１０は、前記した通り通信回路網１５に接続された計測機器１３の負荷情報を取得し、表示する。また、負荷情報の記録、集中管理を行うパソコン１１は、インターフェース機器１２以降の通信回路網１４に接続した計測機器及び、本発明の表示機器以下の通信回路網１５に接続した計測機器の負荷情報を、１０分間隔又は３０分、１時間間隔等の定期的な周期にて取得し、記録、管理する。
【００２５】
まず始めに使用者は、通信回路網１４及び１５に接続した計測機器１３１〜１３６のアドレス、機種を、パソコン１１にて登録する。その後パソコン１１は、登録されたアドレスに対し、登録された機種に応じた最適な要求方式にて、定期的な負荷情報要求を行う。
【００２６】
通信回路網１４に接続した計測機器１３１〜１３３については、インターフェース機器１２を介してパソコン１１と接続されているため、パソコン１１からの負荷情報要求に対し、自分に対する要求か否かを判断し、自分に対する要求の場合のみ、応答として通信回路網１４に負荷情報を伝送する。伝送された負荷情報は、インターフェース機器１２を介し、パソコン１１へ伝送され、パソコン内にて、負荷情報要求したアドレスからの応答であるか否かを判断し、要求したアドレスからの負荷情報である場合、ある時間のデータとしてパソコン内に記録される。
【００２７】
次に通信回路網１５接続した計測機器１３４、１３５からの負荷情報取得方法に関して説明する。
通信回路網１５は、本発明の表示機器１０にて分離されているが、前記したパソコン１１上での接続登録は、通信回路網１４に接続した機器と同様に行う。
【００２８】
パソコン１１は、通信回路網１５に接続した計測機器１３４、１３５に対しても、通信回路網１４に接続した機器へと同様の手順にて負荷情報要求を行う。仮にパソコン１１が、計測機器１３４の負荷情報要求を行った場合、本要求は通信回路網１４に接続された機器しか受信できないが、通信回路網１５の親機として機能する本発明の表示機器１０がインターフェースを取る。
【００２９】
本発明の表示機器１０は前記の通り、本表示機器１０にて負荷情報を表示できる通信回路網１５に接続した機器のアドレス、機種、接続数を認識している。すなわち計測機器１３４は通信回路網１５に接続していることを認識しているため、パソコン１１からの計測機器１３４に対する負荷情報要求を受信し、同要求を通信回路網１５へ伝達する。通信回路網１５に伝達されたパソコン１１の要求に対し、計測機器１３４は自分に対する要求と判断し、要求された情報を通信回路網１５に伝送する。本伝送された情報を、表示機器１０は計測機器１３４への要求に対する応答と判断し、受信して、一度内部のＲＡＭへ格納する。
【００３０】
次に、内部のＲＡＭに格納した計測機器１３４の負荷情報を、あたかも計測機器１３４が応答したように、計測機器１３４のアドレスにて通信回路網１４へ伝送する。その伝送された計測機器１３４の負荷情報を、パソコン１１は計測機器１３４への要求に対する応答と判断し、ある時間のデータとしてパソコン１１内に記録する。通信回路網１５に接続した計測機器１３５、１３６に関しても同様の方式で、表示機器１０で通信回路網１４から１５へ再度伝送し、異なる通信回路網間の負荷情報収集を可能とする。
【００３１】
図３に具体的な負荷情報表示機器１の外観図を示す。図３(ａ)は正面図で、表示パネル部を示し、図３（ｂ）は側面図である。負荷情報表示機器１の表示パネルは、計測機器１３４、１３５、‥‥等のユニットＮｏ．を表示する表示部２２、そのユニットＮｏ，の電流、電圧、電力、電力量又は力率等の数値を表示する表示部２３を有する。また、ユニットＮｏ．を切り換える選択ボタン等を有している。図３（ｂ）において、２点鎖線の２５は、盤に取り付ける取り付け面を示し、２６は端子台を示す。
【実施例２】
【００３２】
図４に本発明の実施例２のシステムを示す。
【００３３】
実施例２のシステムは、図２に示した実施例１のシステムの負荷情報表示機器１を、負荷情報の計測及び伝送機能を有する回路遮断器に接続したものである。
【００３４】
回路遮断器には、ＣＴやＶＴなどの検出器を有しており、これらの信号を回路遮断器に接続された計測通信ユニット２１で計測し、この計測通信ユニット２１で電流、電圧、電力、電力量及び力率などを演算する。そしてその演算した結果を負荷情報表示機器１に伝送し、表示する。
また、実施例２の負荷情報表示機器１も、実施例１と同様に、計測機器１３４、１３５、‥‥と接続され、これらの負荷情報を表示できる。
【００３５】
図５に回路遮断器に計測通信ユニット及び負荷情報表示機器を設置した外観図を示す。図５において、回路遮断器２０のサイドに計測通信ユニット２１を隣接して設置し、回路遮断器の上部の負荷側端子側に負荷情報表示機器１を設け、コンパクト化を図っている。このように回路遮断器に一体にすることでノイズ等の問題を解消できる。
【産業上の利用可能性】
【００３６】
本発明に関して産業上の利用可能性は有望である。
【図面の簡単な説明】
【００３７】
【図１】第１の実施例のブロック構成を示す図である。
【図２】第１の実施例のシステム図である。
【図３】本発明の表示機器の外観図である。
【図４】第２の実施例のシステム図である。
【図５】本発明の表示機器を接続した計測、伝送機能を有する回路遮断器の外観図である。
【符号の説明】
【００３８】
１‥表示機器、２‥電源回路、３‥表示部、４‥表示制御部、５‥操作部、６‥通信回路（１）、７‥通信回路（２）、８‥制御部、１０‥表示機器、１１‥パソコン、１２‥インターフェース機器、１３１〜１３６‥計測機器、１４‥通信回路網（１）、１５‥通信回路網（２）、３１‥回路遮断器
【図１】
2006109550.tif 000003
【図２】
2006109550.tif 000004
【図３】
2006109550.tif 000005
【図４】
2006109550.tif 000006
【図５】
2006109550.tif 000007